(57)【要約】
【課題】  部品点数が少なくて製作費が安くつき構造が簡単で組み立てが容易なこと。
【解決手段】  フロントパネル１Ａの凹部２内に中心釦３と周方向に４つに区分された環
状釦４とが同心状に弾性変位可能に配置され、中心釦３を押圧して中心スイッチ３Ａをオ
ン・オフ操作すると共に、環状釦４の各区分を押圧して各区分スイッチ４Ａ〜４Ｄをオン
・オフ操作するようにしたスイッチ装置において、前記中心釦３の裏面から側方に延びる
弾性アーム１６の基端部がフロントパネル１Ａに固定され、前記環状釦４がフロントパネ
ル１Ａに一定範囲内移動可能に係止されると共に、該フロントパネル１Ａにスリットを形
成することにより切り残した複数の弾性片１８の先端部１８ａが環状釦４の裏面に対向さ
れている。
【選択図】        図４
0003100850.tif 000002
【実用新案登録請求の範囲】
【請求項１】
ディスクプレーヤ用フロントパネルの前面に凹設した凹部内に中心釦
と周方向に４つに区分された環状釦とが同心状に配置され、前記中心釦に対向する中心ス
イッチと前記環状釦の各区分に対向する４つの区分スイッチとがそれぞれプリント基板に
固定され、前記中心釦の裏面から側方に延びる弾性杆の基端部を間に挟んでフロントパネ
ルの裏面にベースを接着剤で固定することにより、その中心釦が弾性杆を介してフロンパ
ネルに弾性変位可能に取り付けられ、前記環状釦の裏面に周方向所定間隔をおいて突設し
た複数の突起部を前記ベースから分岐した複数の弾性分岐腕にそれぞれ接着剤で固着する
ことにより、その環状釦が各弾性分岐腕を介してフロントパネルに弾性変位可能に取り付
けられており、中心釦を弾性杆に抗して押圧することにより中心スイッチをオン・オフ操
作すると共に、環状釦の各区分を各弾性分岐腕に抗して押圧することにより各区分スイッ
チをオン・オフ操作するようにしたスイッチ装置において、前記弾性分岐腕付きベースを
省略し、前記中心釦の裏面に側方に延びる位置決め片が突設され、該中心釦の裏面から位
置決め片とはほぼ逆方向に延びる弾性アームの基端部に複数の貫通孔を貫設した横桁部が
一体突設され、該横桁部の各貫通孔をフロントパネルの裏面に突設した固定ピンに嵌合さ
せ前記位置決め片を凹部の底壁部に対向させることにより、前記中心釦が底壁部の中央貫
通孔を通って凹部内の中央に位置決めされ、前記各固定ピンに横桁部を接着剤で固定する
と共に、その横桁部の端部から略Ｌ字状に延びる縦桁部をフロンパネルの裏面に当接させ
ることにより、前記中心釦が弾性アームを介してフロントパネルに弾性変位可能に取り付
けられ、前記環状釦の裏面に周方向所定間隔をおいて突設した複数のフック部を前記凹部
の底壁部に貫設した複数の係合孔にそれぞれ係合させることにより、該環状釦がフロント
パネルに一定範囲内移動可能に係止され、前記各区分に対応して前記中央貫通孔の周縁か
ら周方向に９０°ごとに一対のスリットをフロントパネルに形成することより、その各区
分に対応して両スリット間に４つの弾性片が切り残され、該各弾性片の先端部を環状釦の
裏面に対向させることにより、前記環状釦が各弾性片を介してフロントパネルに弾性変位
可能に取り付けられていることを特徴とするスイッチ装置。
【請求項２】
フロントパネルの前面に凹設した凹部内に中心釦と周方向に４つに区
分された環状釦とが同心状に弾性変位可能に配置され、前記中心釦に対向する中心スイッ
チと前記環状釦の各区分に対向する４つの区分スイッチとがそれぞれプリント基板に固定
されており、中心釦を押圧して中心スイッチをオン・オフ操作すると共に、環状釦の各区
分を押圧して各区分スイッチをオン・オフ操作するようにしたスイッチ装置において、前
記中心釦が前記凹部の底壁部に貫設した中央貫通孔を通って該凹部内の中央に配置される
と共に、該中心釦の裏面から側方に延びる弾性アームの基端部がフロントパネルに固定さ
れ、前記環状釦がフロントパネルに一定範囲内移動可能に係止されると共に、該フロント
パネルにスリットを形成することにより切り残した複数の弾性片の先端部が環状釦の裏面
に対向されていることを特徴とするスイッチ装置。
【請求項３】
前記中心釦の裏面に側方に延びる位置決め片が突設され、前記弾性
アームが中心釦の裏面から位置決め片とはほぼ逆方向に延ばされると共に、該弾性アーム
の基端部に複数の貫通孔を貫設した横桁部が一体突設され、該横桁部の各貫通孔をフロン
トパネルの裏面に突設した固定ピンに嵌合させ前記位置決め片を凹部の底壁部に対向させ
ることにより、前記中心釦が底壁部の中央貫通孔を通って凹部内の中央に位置決めされ、
前記各固定ピンに横桁部を接着剤で固定すると共に、その横桁部の端部から略Ｌ字状に延
びる縦桁部をフロンパネルの裏面に当接させることにより、前記中心釦が弾性アームを介
してフロントパネルに弾性変位可能に取り付けられていることを特徴とする請求項２に記
載のスイッチ装置。
【請求項４】
前記環状釦の裏面に周方向所定間隔をおいて突設した複数のフック部
を前記凹部の底壁部に貫設した複数の係合孔にそれぞれ係合させることにより、該環状釦
がフロントパネルに一定範囲内移動可能に係止されていることを特徴とする請求項２また
は３に記載のスイッチ装置。
【請求項５】
前記各弾性片が、各区分に対応して前記中央貫通孔の周縁から周方向
に９０°ごとに一対のスリットをフロントパネルに形成することよりその各区分に対応し
て両スリット間に切り残されていることを特徴とする請求項２から４のいずれかに記載の
スイッチ装置。
【考案の詳細な説明】
【技術分野】
【０００１】
本考案は、例えばＤＶＤやＣＤのディスクプレーヤなどのフロントパネルに設けられる
スイッチ装置に関する。
【背景技術】
【０００２】
ＤＶＤやＣＤのディスクプレーヤの一例として図７に示すものがある。これは、筐体１
のフロントパネル１Ａの前面にスイッチ装置Ｓを設けたものであって、該スイッチ装置Ｓ
は、フロントパネル１Ａの前面に凹設した凹部２内に中心釦３と周方向に４つに区分４ａ
〜４ｄされた環状釦４とが同心状に弾性変位可能に配置され、前記中心釦３に対向する中
心スイッチ３Ａと前記環状釦４の各区分４ａ〜４ｄに対向する４つの区分スイッチ４Ａ〜
４Ｄとがそれぞれプリント基板５に固定されたものである。なお、６はフロントパネル１
Ａの前面に形成したディスク挿入口７に出退可能に配置したトレイ、８は電源釦、９は開
閉釦、１０は各種操作釦である。
【０００３】
上記構成において、図７に実線で示す状態から開閉釦９を押すことにより、トレイ６を
突出させ（図７仮想線参照）、該トレイ６上にディスクＤを載置し、開閉釦９を押すこと
により、トレイ６を退入させ（図７実線参照）、光ピックアップによりディスクＤに記録
されている情報を読み取る。
【０００４】
従来、前記スイッチ装置２の技術として特許文献１などに記載したものがあり、その一
例を図８に基づいて説明すると、中心釦３の裏面から側方に延びる弾性杆１２の基端部１
２ａを間に挟んでフロントパネル１Ａの裏面にベース１３を接着剤で固定することにより
、その中心釦３が弾性杆１２を介してフロンパネル１Ａに弾性変位可能に取り付けられ、
前記環状釦４の裏面に周方向所定間隔をおいて突設した複数の突起部１４を前記ベース１
３から分岐した複数の弾性分岐腕１３ａにそれぞれ接着剤で固着することにより、その環
状釦４が各弾性分岐腕１３ａを介してフロントパネル１Ａに弾性変位可能に取り付けられ
ている。
【０００５】
上記構成において、環状釦４の各区分４ａ〜４ｄを押圧して各区分スイッチ４Ａ〜４Ｄ
をオン・オフ操作することにより、例えばディスプレー（図示せず）上に表示されている
各種メニューを選択し、中心釦３を押圧して中心スイッチ３Ａをオン・オフ操作すること
により、選択したメニューを決定する。
【特許文献１】特開平１１−１１１１０２号公報
【考案の開示】
【考案が解決しようとする課題】
【０００６】
上記従来の構成では、中心釦３及び環状釦４をフロントパネル１Ａに取り付けるために
ベース１３が必要であって、そのベース１３を用いた分だけ部品点数が多くて製作費が高
くつく。また、構造が複雑で、環状釦４をフロントパネル１Ａに接着剤で接着して組み立
てるのに手間と時間とがかかる。
【０００７】
本考案は、上記従来の欠点に鑑み、部品点数が少なくて製作費が安くつき構造が簡単で
組み立てが容易なスイッチ装置を提供することを目的としている。
【課題を解決するための手段】
【０００８】
上記目的を達成するため、請求項１に記載の考案は、ディスクプレーヤ用フロントパネ
ルの前面に凹設した凹部内に中心釦と周方向に４つに区分された環状釦とが同心状に配置
され、前記中心釦に対向する中心スイッチと前記環状釦の各区分に対向する４つの区分ス
イッチとがそれぞれプリント基板に固定され、前記中心釦の裏面から側方に延びる弾性杆
の基端部を間に挟んでフロントパネルの裏面にベースを接着剤で固定することにより、そ
の中心釦が弾性杆を介してフロンパネルに弾性変位可能に取り付けられ、前記環状釦の裏
面に周方向所定間隔をおいて突設した複数の突起部を前記ベースから分岐した複数の弾性
分岐腕にそれぞれ接着剤で固着することにより、その環状釦が各弾性分岐腕を介してフロ
ントパネルに弾性変位可能に取り付けられており、中心釦を弾性杆に抗して押圧すること
により中心スイッチをオン・オフ操作すると共に、環状釦の各区分を各弾性分岐腕に抗し
て押圧することにより各区分スイッチをオン・オフ操作するようにしたスイッチ装置にお
いて、前記弾性分岐腕付きベースを省略し、前記中心釦の裏面に側方に延びる位置決め片
が突設され、該中心釦の裏面から位置決め片とはほぼ逆方向に延びる弾性アームの基端部
に複数の貫通孔を貫設した横桁部が一体突設され、該横桁部の各貫通孔をフロントパネル
の裏面に突設した固定ピンに嵌合させ前記位置決め片を凹部の底壁部に対向させることに
より、前記中心釦が底壁部の中央貫通孔を通って凹部内の中央に位置決めされ、前記各固
定ピンに横桁部を接着剤で固定すると共に、その横桁部の端部から略Ｌ字状に延びる縦桁
部をフロンパネルの裏面に当接させることにより、前記中心釦が弾性アームを介してフロ
ントパネルに弾性変位可能に取り付けられ、前記環状釦の裏面に周方向所定間隔をおいて
突設した複数のフック部を前記凹部の底壁部に貫設した複数の係合孔にそれぞれ係合させ
ることにより、該環状釦がフロントパネルに一定範囲内移動可能に係止され、前記各区分
に対応して前記中央貫通孔の周縁から周方向に９０°ごとに一対のスリットをフロントパ
ネルに形成することより、その各区分に対応して両スリット間に４つの弾性片が切り残さ
れ、該各弾性片の先端部を環状釦の裏面に対向させることにより、前記環状釦が各弾性片
を介してフロントパネルに弾性変位可能に取り付けられていることを特徴としている。
【０００９】
請求項２に記載の考案は、フロントパネルの前面に凹設した凹部内に中心釦と周方向に
４つに区分された環状釦とが同心状に弾性変位可能に配置され、前記中心釦に対向する中
心スイッチと前記環状釦の各区分に対向する４つの区分スイッチとがそれぞれプリント基
板に固定されており、中心釦を押圧して中心スイッチをオン・オフ操作すると共に、環状
釦の各区分を押圧して各区分スイッチをオン・オフ操作するようにしたスイッチ装置にお
いて、前記中心釦が前記凹部の底壁部に貫設した中央貫通孔を通って該凹部内の中央に配
置されると共に、該中心釦の裏面から側方に延びる弾性アームの基端部がフロントパネル
に固定され、前記環状釦がフロントパネルに一定範囲内移動可能に係止されると共に、該
フロントパネルにスリットを形成することにより切り残した複数の弾性片の先端部が環状
釦の裏面に対向されていることを特徴としている。
【００１０】
請求項３に記載の考案は、請求項２に記載の考案において、前記中心釦の裏面に側方に
延びる位置決め片が突設され、前記弾性アームが中心釦の裏面から位置決め片とはほぼ逆
方向に延ばされると共に、該弾性アームの基端部に複数の貫通孔を貫設した横桁部が一体
突設され、該横桁部の各貫通孔をフロントパネルの裏面に突設した固定ピンに嵌合させ前
記位置決め片を凹部の底壁部に対向させることにより、前記中心釦が底壁部の中央貫通孔
を通って凹部内の中央に位置決めされ、前記各固定ピンに横桁部を接着剤で固定すると共
に、その横桁部の端部から略Ｌ字状に延びる縦桁部をフロンパネルの裏面に当接させるこ
とにより、前記中心釦が弾性アームを介してフロントパネルに弾性変位可能に取り付けら
れていることを特徴としている。
【００１１】
請求項４に記載の考案は、請求項２または３に記載の考案において、前記環状釦の裏面
に周方向所定間隔をおいて突設した複数のフック部を前記凹部の底壁部に貫設した複数の
係合孔にそれぞれ係合させることにより、該環状釦がフロントパネルに一定範囲内移動可
能に係止されていることを特徴としている。
【００１２】
請求項５に記載の考案は、請求項２から４のいずれかに記載の考案において、前記各弾
性片が、各区分に対応して前記中央貫通孔の周縁から周方向に９０°ごとに一対のスリッ
トをフロントパネルに形成することよりその各区分に対応して両スリット間に切り残され
ていることを特徴としている。
【考案の効果】
【００１３】
請求項１に記載の考案は実施の一形態（図１から図６参照）に対応するものであって、
中心釦が弾性アームを介してフロントパネルに弾性変位可能に直接的に取り付けられると
共に、環状釦がフロントパネルに切り残した各弾性片を介して該フロントパネルに弾性変
位可能に取り付けられており、その中心釦及び環状釦をフロントパネルに取り付けるため
に従来の弾性分岐腕付きベースに相当するものが不要であるから、その不要となった分だ
け部品点数が少なくなって製作費が安くつき、構造が簡単で組み立てが容易である。
【００１４】
また、弾性アームの基端部に一体突設した横桁部に貫設した複数の貫通孔をフロントパ
ネルの裏面に突設した固定ピンに嵌合させ、中心釦の裏面から側方に延びる位置決め片を
凹部の底壁部に当接させるだけで、その中心釦を凹部内の中央に簡単に位置決めすること
ができ、この位置決め状態から、各固定ピンに横桁部を接着剤で固定するだけで、中心釦
をフロントパネルに迅速容易に固定することができる。
【００１５】
ここで特に、前記横桁部の端部から略Ｌ字状に延びる縦桁部をフロンパネルの裏面に当
接させることにより、弾性アームの基端部をフロントパネルに強固に固定しているので、
中心釦の押圧操作をする際に、該中心釦が不測に動かされることがなく、その押圧操作を
快適に行うことができる。
【００１６】
更に、環状釦に突設した複数のフック部を凹部の底壁部に貫設した係合孔にそれぞれ係
合させるようになっており、従来の接着剤による連結に代えてフック部による連結を採用
しているので、その連結作業を迅速容易に行うことができると共に、該環状釦を凹部内の
周縁部に容易に位置決めすることができる。
【００１７】
しかも、各弾性片が凹部を中心に９０°ごとに放射状に配置されており、その各弾性片
で環状釦の裏面全体をほほぼ均等に支持しているので、その環状釦の各区分を快適に押圧
操作することができる。
【００１８】
以上要するに、部品点数が少なくて製作費が安くつき構造が簡単で組み立てが容易なス
イッチ装置を備えたディスクプレーヤを提供することができるものである。
【００１９】
請求項２に記載の考案によれば、中心釦が弾性アームを介してフロントパネルに弾性変
位可能に直接的に取り付けられると共に、環状釦がフロントパネルに切り残した各弾性片
を介して該フロントパネルに弾性変位可能に取り付けられており、その中心釦及び環状釦
をフロントパネルに取り付けるために従来の弾性分岐腕付きベースに相当するものが不要
であるから、その不要となった分だけ部品点数が少なくなって製作費が安くつき、構造が
簡単で組み立てが容易である。
【００２０】
請求項３に記載の考案によれば、弾性アームの基端部に一体突設した横桁部に貫設した
複数の貫通孔をフロントパネルの裏面に突設した固定ピンに嵌合させ、中心釦の裏面から
側方に延びる位置決め片を凹部の底壁部に当接させるだけで、その中心釦を凹部内の中央
に簡単に位置決めすることができ、この位置決め状態から、各固定ピンに横桁部を接着剤
で固定するだけで、中心釦をフロントパネルに迅速容易に固定することができる。
【００２１】
ここで特に、前記横桁部の端部から略Ｌ字状に延びる縦桁部をフロンパネルの裏面に当
接させることにより、弾性アームの基端部をフロントパネルに強固に固定しているので、
中心釦の押圧操作をする際に、該中心釦が不測に動かされることがなく、その押圧操作を
快適に行うことができる。
【００２２】
請求項４に記載の考案によれば、環状釦に突設した複数のフック部を凹部の底壁部に貫
設した係合孔にそれぞれ係合させるようになっており、従来の接着剤による連結に代えて
フック部による連結を採用しているので、その連結作業を迅速容易に行うことができると
共に、該環状釦を凹部内の周縁部に容易に位置決めすることができる。
【００２３】
請求項５に記載の考案によれば、各弾性片が凹部を中心に９０°ごとに放射状に配置さ
れており、その各弾性片で環状釦の裏面全体をほほぼ均等に支持しているので、その環状
釦の各区分を快適に押圧操作することができる。
【考案を実施するための最良の形態】
【００２４】
図１から図４は本考案の実施の一形態であるＤＶＤなどのディスクプレーヤのスイッチ
装置Ｓを示すものであって、合成樹脂製中心釦３が凹部２の底壁部２ａに貫設した中央貫
通孔１５を通って該凹部２内の中央に配置されると共に、該中心釦３の裏面から側方に延
びる一対の弾性アーム１６の基端部がフロントパネル１Ａに固定され、環状釦４がフロン
トパネル１Ａに前後方向ａ，ｂに一定範囲内移動可能に係止されると共に、該フロントパ
ネル１Ａにスリット１７を形成することにより切り残した複数の弾性片１８の先端部１８
ａが環状釦４の裏面に対向されている。なお、図４中、１９はフロントパネル１Ａの前面
に外嵌させた金属製外装プレート、２０はプリント基板５との間の間隔を確保するための
間隔保持杆である。上記構成以外の構成は図７及び図８に示す構成とほぼ同じであるから
、同一部分に同一符号を付してその説明を省略する。
【００２５】
上記構成によれば、中心釦３が弾性アーム１６を介してフロントパネル１Ａに弾性変位
可能に直接的に取り付けられると共に、環状釦４がフロントパネル１Ａに切り残した各弾
性片１８を介して該フロントパネル１Ａに弾性変位可能に取り付けられており、その中心
釦３及び環状釦４をフロントパネル１Ａに取り付けるために従来の弾性分岐腕１３ａ付き
ベース１３（図８参照）に相当するものが不要であるから、その不要となった分だけ部品
点数が少なくなって製作費が安くつき、構造が簡単で組み立てが容易である。
【００２６】
図２から図４に示すように、中心釦３の裏面上部に側方に延びる左右一対の位置決め片
２１が突設され、前記両弾性アーム１６が中心釦３の裏面下部から両位置決め片２１とは
ほぼ逆方向に延ばされると共に、該両弾性アーム１６の基端部に複数（この実施の形態で
は３つ）の貫通孔２２ａを貫設した横桁部２２が一体突設され、該横桁部２２の各貫通孔
２２ａをフロントパネル１Ａの裏面に突設した固定ピン２３に嵌合させ両位置決め片２１
を凹部２の底壁部２ａに対向させることにより、中心釦３が中央貫通孔１５を通って凹部
２内の中央に位置決めされ、各固定ピン２３に横桁部２２を接着剤２４で固定すると共に
、その横桁部２２の端部から略Ｌ字状に延びる縦桁部２５をフロントパネル１Ａの裏面に
当接させることにより、中心釦３が両弾性アーム１６を介してフロントパネル１Ａに弾性
変位可能に取り付けられている。
【００２７】
上記構成によれば、横桁部２２の各貫通孔２２ａを固定ピン２３に嵌合させ、各位置決
め片２１を凹部２の底壁部２ａに当接させるだけで、その中心釦３を凹部２内の中央に簡
単に位置決めすることができ、この位置決め状態から、各固定ピン２３に横桁部２２を接
着剤２４で固定するだけで、中心釦３をフロントパネル１Ａに迅速容易に固定することが
できる。
【００２８】
ここで特に、横桁部２２の端部から略Ｌ字状に延びる縦桁部２５をフロントパネル１Ａ
の裏面に当接させることにより、弾性アーム１６の基端部をフロントパネル１Ａに強固に
固定しているので、中心釦３の押圧操作をする際に、該中心釦３が不測に動かされること
がなく、その押圧操作を快適に行うことができる。
【００２９】
図２及び図６に示すように、環状釦４の裏面に周方向所定間隔をおいて突設した複数（
この実施の形態では４つ）のフック部２７を凹部２の底壁部２ａに貫設した複数の係合孔
２８にそれぞれ係合させることにより、該環状釦４がフロントパネル１Ａに前後方向ａ，
ｂに一定範囲内移動可能に係止されている。
【００３０】
上記構成によれば、従来の接着剤による連結に代えてフック部２７による連結を採用し
ているので、その連結作業を迅速容易に行うことができると共に、環状釦４を凹部２内の
周縁部に容易に位置決めすることができる。
【００３１】
図１、図２及び図５に示すように、前記各弾性片１８は、各区分４ａ〜４ｄに対応して
中央貫通孔１５の周縁から周方向に９０°ごとに一対のスリット１７をフロントパネル１
Ａに形成することよりその各区分４ａ〜４ｄに対応して両スリット１７間に切り残されて
いる。
【００３２】
上記構成によれば、各弾性片１８が凹部２を中心に９０°ごとに放射状に配置されてお
り、その各弾性片１８の先端部１８ａで環状釦４の裏面全体をほほぼ均等に支持している
ので、その環状釦４の各区分４ａ〜４ｄを快適に押圧操作することができる。
【００３３】
操作手順を説明すると、環状釦４の各区分４ａ〜４ｄを各弾性片１８に抗して押圧する
ことにより各区分スイッチ４Ａ〜４Ｄをオン・オフ操作し、例えばディスプレー（図示せ
ず）上に表示されている各種メニューを選択する。次に、中心釦３を弾性アーム１６に抗
して押圧することにより中心スイッチ３Ａをオン・オフ操作し、選択したメニューを決定
する。
【産業上の利用可能性】
【００３４】
上記の実施の形態では、ＤＶＤなどのディスクプレーヤのスイッチ装置Ｓを例にあげて
説明したが、これに限定されるわけではなく、例えばＤＶＤ一体型ビデオデッキや単体型
ビデオデッキなどの各種電気機器の操作部に適用することができる。
【図面の簡単な説明】
【００３５】
【図１】本考案の実施の一形態であるスイッチ装置の正面図である。
【図２】同裏面図である。
【図３】同分解斜視図である。
【図４】図２のＡ−Ａ矢視図である。
【図５】図２のＢ−Ｂ矢視図である。
【図６】図２のＣ−Ｃ矢視図である。
【図７】スイッチ装置付きディスクプレーヤの一例を示す斜視図である。
【図８】従来例を示す縦断面図である。
【符号の説明】
【００３６】
Ｓ          スイッチ装置
１Ａ        フロントパネル
２          凹部
２ａ        凹部の底壁部
３          中心釦
３Ａ        中心スイッチ
４          環状釦
４ａ〜４ｄ  区分
４Ａ〜４Ｄ  区分スイッチ
５          プリント基板
１５        中央貫通孔
１６        弾性アーム
１７        スリット
１８        弾性片
２２        横桁部
２２ａ      横桁部の貫通孔
２３        固定ピン
２４        接着剤
２５        縦桁部
２７        フック部
２８        係合孔
【図１】
0003100850.tif 000003
【図２】
0003100850.tif 000004
【図３】
0003100850.tif 000005
【図４】
0003100850.tif 000006
【図５】
0003100850.tif 000007
【図６】
0003100850.tif 000008
【図７】
0003100850.tif 000009
【図８】
0003100850.tif 000010